(57)【要約】【課題】  従来、収納容器は、それぞれの用途に合わせた大きさで、上部を開口した立方体に形成されているが、形状が固定されているので、空の容器を保管または移動する場合に嵩張る等不便であった。また、布や化学繊維で成形された大型収納袋は、携帯や保管には便利であるが、側面に腰がないため折れ曲がった状態となり、上部開口部が開かず、物を投入するときに非常に不便であった。【解決手段】  本考案は、上部を開口した立体形状を有する袋本体と、該袋本体の側面に設けられた湾曲可能な弾性部材とからなる収納袋において、側面に設けられた弾性部材が相互に交差するように湾曲して設けられている。また、前記袋本体の上部縁から延長して設けられ、前記袋本体の上部開口部を閉止する袋カバーが設けられている。【選択図】          図１
0003101940.tif 000002
【実用新案登録請求の範囲】
【請求項１】
上部を開口した立体形状を有する袋本体と、該袋本体の側面に設けられた湾曲可能な弾性部材とからなる収納袋において、側面に設けられた弾性部材が相互に交差するように湾曲して設けられていることを特徴とする自立型収納袋。
【請求項２】
前記袋本体の上部縁から延長して設けられ、前記袋本体の上部開口部を閉止する袋カバーが設けられていることを特徴とする自立型収納袋。
【考案の詳細な説明】
【技術分野】
【０００１】
本考案は、穀類や野菜などの農産物、家庭用品、家庭用または産業用廃棄物等に使用する自立型収納袋に関するものである。
【背景技術】
【０００２】
従来、穀類や野菜などの農産物、家庭用品、家庭用または産業用廃棄物等に使用する収納容器は、それぞれの用途に合わせた大きさで、上部を開口した立方体（方形、円筒形など）に形成されているが、形状が固定されているので、空の容器を保管または移動する場合に嵩張る等不便であった。また、布や化学繊維で成形された大型袋は、携帯や保管には便利であるが、側面に腰がない為折れ曲がった状態となり、上部開口部が開かず、物を投入するときに非常に不便であった。
【０００３】
これを解決する方法として、胴部と底部とに分割された二部分によって形成された袋で、胴部に底部をはめ込むことによって一つの袋として使用できるものであり、胴部は布、皮革または化学繊維によって造られ、この胴部の内面側面には芯として鋼製巻尺の平バネ鋼が数本縦向きに貼られ、更に、この胴部にはめ込む底部の脱落を逃れるために、取っ手から側面に下がり底部の底面に至る底がけヒモが取り付けられ、底部はポリプロピレン樹脂の中空構造で造られている、折畳み式の胴立大型筒袋が開示されている。（例えば、特許文献１参照）。
【特許文献１】実用新案登録第３０２９７６６号公報
【考案の開示】
【考案が解決しようとする課題】
【０００４】
前記特許文献１に示された胴立大型筒袋は、胴部と底部とに分割された二部分によって形成された袋である。胴部と底部との固定は取っ手から側面に下がり底部の底面に至る２本の底がけヒモで取り付けられている。そのため、胴部と底部とは接触した状態であり、この胴立大型筒袋に穀物などの粉流体を収納すると、胴部と底部との隙間から漏れ出すという虞れがある。また、胴立大型筒袋の胴部の内面側面には芯として鋼製巻尺の平バネ鋼が数本縦向きに貼られているが、この鋼製巻尺の平バネ鋼は押圧力により折れ曲がり、押圧力を取り除くと直線状に復元する。従って、手などで胴立大型筒袋を折り畳んで横置きしても、手などを離して押圧力がなくなると、展開された胴立大型筒袋に復元してしまうという問題がある。
【課題を解決するための手段】
【０００５】
本考案は、前記課題を解決するためになされたもので、請求項１では、上部を開口した立体形状を有する袋本体と、該袋本体の側面に設けられた湾曲可能な弾性部材とからなる収納袋において、側面に設けられた弾性部材が相互に交差するように湾曲して設けられていることを特徴としている。また、請求項２では、前記袋本体の上部縁から延長して設けられ、前記袋本体の上部開口部を閉止する袋カバーが設けられていることを特徴としている。
【考案の効果】
【０００６】
本考案の請求項１では、上部を開口した立体形状を有する袋本体と、該袋本体の側面に設けられた湾曲可能な弾性部材とからなる収納袋において、側面に設けられた弾性部材が相互に交差するように湾曲して設けられている。これにより、弾性部材が直線状に戻ろうとする反発力によって袋本体が立体形状に自立するため、穀類や野菜などの農産物、家庭用品、家庭用または産業用廃棄物等の収納物の投入がきわめて容易となる。また、保管や移動時には、小さく折り畳んで積み重ねすることができるので、省スペースとなりきわめて便利である。
【０００７】
また、本考案の請求項２では、前記袋本体の上部縁から延長して設けられ、前記袋本体の上部開口部を閉止する袋カバーが設けられている。これにより、立体形状の袋本体の容積を超える収納物であっても、前記袋カバーを前記袋本体の上部縁から上方に伸張することにより、より多くの収納物を収納することができる。また、搬送時に前記袋カバーに取り付けられた紐などで締着することにより、収納物が袋本体から脱落することを防止できる。
【考案を実施するための最良の形態】
【０００８】
以下、本考案の実施形態について図面に基づいて説明するが、本考案はこれに限定されるものではなく、考案の要旨変更とならない範囲内において適宜変更することが可能なものである。図１は本考案の好ましい実施形態の斜視図であり、図２は本考案の袋カバーを伸張して袋本体の開口部を封止した状態を示す斜視図である。図１において、自立型収納袋１は袋本体２、弾性部材３および袋カバー４より構成されている。袋本体２は、ポリプロピレン系の繊維からなる比較的剛直なメッシュ地で直方体に縫製されている。上部縁２１には、内方に折り返して袋カバー４の外周縁が縫着され、該袋カバー４の任意位置には袋カバーを封止する紐２７が縫着されている。直方体の袋本体２の外側面の底部に隣接する四隅の各部位であるコーナー部２２ａ、２２ｂ、２２ｃ、２２ｄには、後述する弾性部材３の任意の端部を挿入して保持する保持部材として、一端が開口した有底帯環２３ａが相互に対向した状態でそれぞれ一対縫着されている。また、直方体の袋本体２の外側面の上部に隣接する四隅の各部位であるコーナー部２４ａ、２４ｂ、２４ｃ、２４ｄには、後述する弾性部材３の他の端部を挿入して保持する保持部材として、一端が開口した有底帯環２３ｂが開口部を下側に向けて縫着されている。なお、任意の対向する側面の任意位置には自立型収納袋１をクレーン等で吊り上げるためのロープ等を係止する吊帯２５ａ、２５ｂを縫着している。
【０００９】
弾性部材３は、撓曲性を有する弾性棒材、例えば、ポリプロピレン系のプラスチックやグラスファイバー等を芯材として外部をプラスチックチューブで被覆して所定径の棒状に形成したものである。なお、硬鋼線、ピアノ線、バネ用ステンレス鋼線、バネ用オイルテンパー線等の弾性線材を用いることが可能である。弾性部材３は、各側面とも２本を用いて、任意の一端は袋本体の外側面の底部に隣接する四隅の各部位であるコーナー部に縫着した有底帯環２３ａに挿入され、互いに交叉させた後、他端を直方体の袋本体の外側面の上部に隣接する四隅の各部位であるコーナー部２４ａ、２４ｂ、２４ｃ、２４ｄに縫着した有底帯環２３ｂに拡開方向（拡がる方向）に付勢するように湾曲して挿入されている。これにより、各弾性部材３の各端部は、該側面部の上部および底部で相互に突っ張り合って有底帯環２３ａ、２３ｂに挿入・支持されるため、相互に外方向に開こうとする反発力が働き、袋本体２の各コーナー部２２ａ、２２ｂ、２２ｃ、２２ｄは展張されて堅固な角筒状となり、上部を開口した状態で安定して自立させることができる。
【００１０】
図２は本考案の袋カバー４を伸張して袋本体２の開口部を封止した状態を示す斜視図である。図２において、袋カバー４は袋本体２の高さより少し短い長さに形成されており、上部縁２１の内方に折り返して外周縁が縫着されている。該袋カバー４を袋本体２の内部より引き出して、袋本体２の上部縁から上方に伸張すると、袋本体２の収納容積が増加するので、袋本体２の容積よりも多い収納物を収納することが可能となる。また、袋カバー４の任意位置には該袋カバー４を封止する紐２７が縫着されているので、収納物を外部から見えなくすることができると共に、袋本体２から脱落することを防止できる。
【００１１】
図３は他の実施形態を示す斜視図である。図３において、袋本体２は、ポリプロピレン系の繊維からなる比較的剛直なメッシュ地で直方体に縫製されている。上部縁２１には、内方に折り返して袋カバーの外周縁が縫着され、該袋カバー４の任意位置には袋カバー４を封止する紐２７が縫着されている。直方体２の袋本体の外側面の底部に隣接する四隅の各部位であるコーナー部２２ａ、２２ｂ、２２ｃ、２２ｄには、前記した弾性部材３の任意の端部を挿入して保持する保持部材として、一端が開口した有底帯環２３ｂが開口部を上側に向けて縫着されている。また、直方体の袋本体２の外側面の上部に隣接する四隅の各部位であるコーナー部２４ａ、２４ｂ、２４ｃ、２４ｄには、前記した弾性部材３の他の端部を挿入して保持する保持部材として、一端が開口した有底帯環２３ａが相互に対向した状態でそれぞれ一対縫着されている。なお、任意の対向する側面の任意位置には自立型収納袋１をクレーン等で吊り上げるためのロープ等を係止する吊帯２５ａ、２５ｂを縫着している。また、弾性部材３の構造、形状は前記した好ましい実施形態と同様である。本実施形態では、袋本体２の側面に縫着した有底帯環２３ａ、２３ｂの上下を逆に縫着して弾性部材３を挿入したものであり、前記の好ましい実施形態と同様の作用・効果を有する。
【００１２】
前記自立型収納袋１は、それぞれ好ましい実施の形態として袋底面が四角形の角筒状の収納袋について説明したが、該収納袋は袋底面が三角形や五角形の筒状など任意の多角形とすることが可能であり、また、袋底面が円形の円筒状であってもよい。
【００１３】
図４は本考案の自立型収納袋１の折り畳み順序を示した説明図である。自立型収納袋１は、収納物を収納しない空の状態で輸送または保管する場合には、これを折り畳み、容積を小さくすることが可能である。すなわち、前記自立型収納袋１はポリプロピレン系の樹脂からなる比較的剛直かつ折り畳み可能なメッシュ地で上部の開口部を含めた６面を有する直方体に縫製されており、上部縁２１には内面に折り畳んだ袋カバーが縫着されている。図４（ａ）は該自立型収納袋１の斜視図である。図４（ｂ）は前記自立型収納袋１の任意の側面（例えば、２６ａ、２６ｂ）を手などで押して屏風状に変形させた状態を示す斜視図である。図４（ｃ）は前記図４（ｂ）に示すように底面２８が三角状に展張しているので、これを側面２６ａ、２６ｂ側に折り畳んで平坦にした状態を示す平面図である。この状態で弾性部材３は各側面の上部および下部のコーナー部２２ａ、２２ｂ、２２ｃ、２２ｄ、２４ａ、２４ｂ、２４ｃ、２４ｄを突っ張る状態で湾曲されて有底帯環２３ａ、２３ｂに挿入されているので、前記自立型収納袋１は平坦状に折り畳まれても、立体状に復元しようとする反発力が生じないため、手等を離しても図４（ｃ）に示す平坦状の形態を維持する。
【産業上の利用可能性】
【００１４】
本考案は、主として穀類や野菜などの農産物、家庭用品、家庭用または産業用廃棄物等に使用するものであるが、サイズを変えることにより、家庭内でおもちゃ箱、小物入れ等への使用、学校等でボール等の運動用品、運動器具等の保管・運搬など、屋内屋外を問わず様々な用途に利用することができる。
【図面の簡単な説明】
【００１５】
【図１】本考案の好ましい実施形態を示す斜視図である。
【図２】本考案の袋カバーを伸張した状態を示す斜視図である。
【図３】本考案の他の実施形態を示す斜視図である。
【図４】本考案の折り畳み手順を示す説明図である。
【符号の説明】
【００１６】
１  自立型収納袋
２  袋本体
３  弾性部材
４  袋カバー
２１  上部縁
２２ａ，２２ｂ，２２ｃ，２２ｄ  コーナー部
２３ａ，２３ｂ  有底帯環
２４ａ，２４ｂ，２４ｃ，２４ｄ  コーナー部
２５ａ，２５ｂ  吊帯
２６ａ，２６ｂ  側面
２７  紐
２８  底面
【図１】
0003101940.tif 000003
【図２】
0003101940.tif 000004
【図３】
0003101940.tif 000005
【図４】
0003101940.tif 000006
【手続補正書】
【提出日】平成16年1月28日(2004.1.28)
【手続補正１】
【補正対象書類名】実用新案登録請求の範囲
【補正対象項目名】全文
【補正方法】変更
【補正の内容】
【実用新案登録請求の範囲】
【請求項１】
上部が開口されており側面及び底面を有し、展開すると立体形状となる袋本体と、該袋本体の側面に設けられた湾曲可能な弾性部材とからなる収納袋において、側面に設けられた弾性部材が相互に交差するように湾曲して設けられていることを特徴とする自立型収納袋。
【請求項２】
請求項１に記載の自立型収納袋において、前記袋本体の上部縁から延長して設けられた袋カバーであって、該袋カバーは前記袋本体の上部開口部を閉止することができることを特徴とする自立型収納袋。
【手続補正２】
【補正対象書類名】明細書
【補正対象項目名】０００５
【補正方法】変更
【補正の内容】
【０００５】
本考案は、前記課題を解決するためになされたもので、請求項１では、上部が開口されており側面及び底面を有し、展開すると立体形状となる袋本体と、該袋本体の側面に設けられた湾曲可能な弾性部材とからなる収納袋において、側面に設けられた弾性部材が相互に交差するように湾曲して設けられていることを特徴としている。また、請求項２では、前記袋本体の上部縁から延長して設けられた袋カバーであって、該袋カバーは前記袋本体の上部開口部を閉止することができることを特徴としている。
【手続補正３】
【補正対象書類名】明細書
【補正対象項目名】０００６
【補正方法】変更
【補正の内容】
【０００６】
本考案の請求項１では、上部が開口されており側面及び底面を有し、展開すると立体形状となる袋本体と、該袋本体の側面に設けられた湾曲可能な弾性部材とからなる収納袋において、側面に設けられた弾性部材が相互に交差するように湾曲して設けられている。これにより、弾性部材が直線状に戻ろうとする反発力によって袋本体が立体形状に自立するため、穀類や野菜などの農産物、家庭用品、家庭用または産業用廃棄物等の収納物の投入がきわめて容易となる。また、保管や移動時には、小さく折り畳んで積み重ねすることができるので、省スペースとなりきわめて便利である。
【手続補正４】
【補正対象書類名】明細書
【補正対象項目名】０００７
【補正方法】変更
【補正の内容】
【０００７】
また、本考案の請求項２では、前記袋本体の上部縁から延長して設けられた袋カバーであって、該袋カバーは前記袋本体の上部開口部を閉止することができる。これにより、立体形状の袋本体の容積を超える収納物であっても、前記袋カバーを前記袋本体の上部縁から上方に伸張することにより、より多くの収納物を収納することができる。また、搬送時に前記袋カバーに取り付けられた紐などで締着することにより、収納物が袋本体から脱落することを防止できる。